(57)【要約】【課題】移動端末機内に分散された様々なイベントをイベントの種類に応じてタイムグラフィック上に表示することにより、様々なイベントを容易に確認及び管理することのできる、移動端末機のイベント表示方法及びその装置を提供する。【解決手段】移動端末機のイベント表示方法は、移動端末機内の少なくとも１つのイベントを検出する段階と、画面上にタイムグラフィックを表示する段階と、検出されたイベントをイベントの種類に応じてタイムグラフィック上に位置させる段階とを含む。【選択図】図５
2008211794.tif 000002
【特許請求の範囲】
【請求項１】
移動端末機内の少なくとも１つのイベントを感知する段階と、
画面上にタイムグラフィックを表示する段階と、
前記感知されたイベントをイベントの種類に応じて前記タイムグラフィック上に位置させる段階と
を含むことを特徴とする移動端末機のイベント表示方法。
【請求項２】
前記感知されたイベントを前記タイムグラフィック上に位置させる段階は、
前記感知されたイベントに対応するアイコンを前記タイムグラフィック上に表示する段階であることを特徴とする請求項１に記載の移動端末機のイベント表示方法。
【請求項３】
前記感知されたイベントを前記タイムグラフィック上に位置させる段階は、
前記タイムグラフィックのタイムラインをイベントの種類に応じて分類する段階と、
前記分類されたタイムラインにユーザにより要求されたイベントに対応するアイコンを表示する段階と
を含むことを特徴とする請求項１に記載の移動端末機のイベント表示方法。
【請求項４】
ユーザにより前記タイムグラフィック上に位置するイベントが選択されたとき、前記イベントを含むタイムグラフィックを縮小する段階と、
前記縮小されたタイムグラフィックと前記選択されたイベントの情報を共に前記画面上に表示する段階と
をさらに含むことを特徴とする請求項１に記載の移動端末機のイベント表示方法。
【請求項５】
放送番組情報に含まれる放送番組時間情報に基づいて、前記タイムグラフィックのタイムラインに前記放送番組情報をリンクする段階をさらに含むことを特徴とする請求項１に記載の移動端末機のイベント表示方法。
【請求項６】
移動端末機内の少なくとも１つのイベントを感知する感知部と、
前記移動端末機のディスプレイ部にタイムグラフィックを表示し、前記感知されたイベントをイベントの種類に応じて前記タイムグラフィック上に位置させる制御部と
を含むことを特徴とする移動端末機のイベント表示装置。
【請求項７】
前記制御部は、
前記感知されたイベントに対応するアイコンを前記タイムグラフィック上に表示することを特徴とする請求項６に記載の移動端末機のイベント表示装置。
【請求項８】
前記制御部は、
前記タイムグラフィック上に表示されたアイコンがコピーされた後、前記コピーされたアイコンが特定時間帯に該当するタイムライン上に位置するとき、前記特定時間帯になると、前記コピーされたアイコンに対応するイベントを発生することを特徴とする請求項７に記載の移動端末機のイベント表示装置。
【請求項９】
前記制御部は、
前記タイムグラフィック上に表示されたアイコンがドラッグされて特定時間帯に該当するタイムライン上に移動したとき、前記特定時間帯になると、前記ドラッグされたアイコンに対応するイベントを発生することを特徴とする請求項７に記載の移動端末機のイベント表示装置。
【請求項１０】
前記制御部は、
ユーザにより選択された日に着信した同一電話番号の発信回数又は着信回数をカウントし、前記カウントされた回数に基づいて、多く発信又は着信した電話番号に対応する人名順に、前記タイムグラフィックの外側又は内側に位置するタイムラインから順次表示することを特徴とする請求項７に記載の移動端末機のイベント表示装置。
【発明の詳細な説明】
【技術分野】
【０００１】
本発明は移動端末機に関し、特に移動端末機のイベント表示方法及びその装置に関する。
【背景技術】
【０００２】
移動端末機は、携帯が可能であり、かつ音声通話及びテレビ電話機能、情報入出力機能、並びにデータ保存機能などを少なくとも１つ備えた携帯用機器である。
【０００３】
移動端末機は、機能が多様化するにつれて、例えば写真や動画像の撮影、音楽や動画像ファイルの再生、ゲーム、放送受信などの複雑な機能を備え、総合的なマルチメディア機器の形で実現されている。
【０００４】
このようなマルチメディア機器に対しては、複雑な機能を実現するために、ハードウェア又はソフトウェアの面で新しい様々な試みがなされている。一例として、ユーザに機能を容易かつ便利に検索又は選択させるためのユーザインタフェース環境が提供されている。
【０００５】
また、移動端末機は、ユーザの個性を表現するための個人携帯品と考えられるようになり、多様なデザインが要求されている。
【０００６】
従来の携帯電話、携帯情報端末（ＰＤＡ）などの移動端末機は、電話発信／着信、不在着信などのイベントを通話リストに記録し、メッセージ発信／着信イベントを記録する。また、従来の移動端末機は、スケジュールイベントをスケジュール帳に記録し、アラーム又はモーニングコールなどのイベントを記録する。
【０００７】
しかし、従来の移動端末機は、様々なイベントを分散して記録するので、ユーザが様々なイベントを確認及び管理することが困難であるという問題があった。
【発明の開示】
【発明が解決しようとする課題】
【０００８】
そこで、本発明は、移動端末機内に分散された様々なイベントをイベントの種類に応じてタイムグラフィック上に表示することにより、様々なイベントを容易に確認及び管理することのできる、移動端末機のイベント表示方法及びその装置を提供することを目的とする。
【課題を解決するための手段】
【０００９】
上記の目的を達成するために、本発明による移動端末機のイベント表示方法は、移動端末機内のイベントを検出（感知）する段階と、画面上にタイムグラフィックを表示する段階と、前記検出されたイベントをイベントの種類に応じて前記タイムグラフィック上に位置させる段階とを含む。
【００１０】
上記の目的を達成するために、本発明による移動端末機のイベント表示装置は、移動端末機内のイベントを検出（感知）する感知部と、前記移動端末機のディスプレイ部にタイムグラフィックを表示し、前記検出されたイベントをイベントの種類に応じて前記タイムグラフィック上に位置させる制御部とを含む。
【００１１】
上記目的を達成するために、本発明は、例えば、以下の手段を提供する。
【００１２】
（項目１）
移動端末機内の少なくとも１つのイベントを感知する段階と、
画面上にタイムグラフィックを表示する段階と、
上記感知されたイベントをイベントの種類に応じて上記タイムグラフィック上に位置させる段階と
を含むことを特徴とする移動端末機のイベント表示方法。
【００１３】
（項目２）
上記感知されたイベントを上記タイムグラフィック上に位置させる段階は、
上記感知されたイベントに対応するアイコンを上記タイムグラフィック上に表示する段階であることを特徴とする項目１に記載の移動端末機のイベント表示方法。
【００１４】
（項目３）
上記感知されたイベントを上記タイムグラフィック上に位置させる段階は、
上記タイムグラフィックのタイムラインをイベントの種類に応じて分類する段階と、
上記分類されたタイムラインにユーザにより要求されたイベントに対応するアイコンを表示する段階と
を含むことを特徴とする項目１に記載の移動端末機のイベント表示方法。
【００１５】
（項目４）
ユーザにより上記タイムグラフィック上に位置するイベントが選択されたとき、上記イベントを含むタイムグラフィックを縮小する段階と、
上記縮小されたタイムグラフィックと上記選択されたイベントの情報を共に上記画面上に表示する段階と
をさらに含むことを特徴とする項目１に記載の移動端末機のイベント表示方法。
【００１６】
（項目５）
放送番組情報に含まれる放送番組時間情報に基づいて、上記タイムグラフィックのタイムラインに上記放送番組情報をリンクする段階をさらに含むことを特徴とする項目１に記載の移動端末機のイベント表示方法。
【００１７】
（項目６）
移動端末機内の少なくとも１つのイベントを感知する感知部と、
上記移動端末機のディスプレイ部にタイムグラフィックを表示し、上記感知されたイベントをイベントの種類に応じて上記タイムグラフィック上に位置させる制御部と
を含むことを特徴とする移動端末機のイベント表示装置。
【００１８】
（項目７）
上記制御部は、
上記感知されたイベントに対応するアイコンを上記タイムグラフィック上に表示することを特徴とする項目６に記載の移動端末機のイベント表示装置。
【００１９】
（項目８）
上記制御部は、
上記タイムグラフィック上に表示されたアイコンがコピーされた後、上記コピーされたアイコンが特定時間帯に該当するタイムライン上に位置するとき、上記特定時間帯になると、上記コピーされたアイコンに対応するイベントを発生することを特徴とする項目７に記載の移動端末機のイベント表示装置。
【００２０】
（項目９）
上記制御部は、
上記タイムグラフィック上に表示されたアイコンがドラッグされて特定時間帯に該当するタイムライン上に移動したとき、上記特定時間帯になると、上記ドラッグされたアイコンに対応するイベントを発生することを特徴とする項目７に記載の移動端末機のイベント表示装置。
【００２１】
（項目１０）
上記制御部は、
ユーザにより選択された日に着信した同一電話番号の発信回数又は着信回数をカウントし、上記カウントされた回数に基づいて、多く発信又は着信した電話番号に対応する人名順に、上記タイムグラフィックの外側又は内側に位置するタイムラインから順次表示することを特徴とする項目７に記載の移動端末機のイベント表示装置。
【００２２】
（摘要）
移動端末機のイベント表示装置およびその方法が開示される。移動端末機内の少なくとも１つのイベントを検出する段階と、画面上にタイムグラフィックを表示する段階と、検出されたイベントをイベントの種類に応じてタイムグラフィック上に位置させる段階とを含む。移動端末機内に分散された様々なイベントを検出されたイベントの種類に応じてタイムグラフィック上に表示することにより、様々なイベントを容易に確認及び管理することができる。
【発明の効果】
【００２３】
本発明の一実施形態による移動端末機のイベント表示方法及びその装置は、移動端末機内に分散された様々なイベントを検出し、その検出されたイベントをイベントの種類に応じて時間を示すタイムグラフィック上に表示することにより、イベントを容易に確認及び管理できるという効果がある。
【発明を実施するための最良の形態】
【００２４】
以下、本発明に係る移動端末機について図１〜図４を参照して詳細に説明する。
【００２５】
図１は本発明の一実施形態に係る移動端末機の構成を示すブロック図である。
【００２６】
移動端末機は様々な形態で実現できる。例えば、本明細書で述べる移動端末機には、携帯電話、スマートフォン、ノートブックコンピュータ、デジタル放送用端末機、ＰＤＡ、ＰＭＰ、及びナビゲーションなどがある。
【００２７】
図１に示す移動端末機１００は、無線通信部１１０、Ａ／Ｖ（Ａｕｄｉｏ／Ｖｉｄｅｏ）入力部１２０、ユーザ入力部（ｍａｎｉｐｕｌａｔｉｎｇ  ｐｏｒｔｉｏｎ）１３０、感知部１４０、出力部１５０、メモリ１６０、インタフェース部１７０、制御部１８０、及び電源供給部１９０などを含む。図１は、様々な構成要素を備える移動端末機を示しているが、図示の構成要素の全てが必須構成要素であるわけではない。移動端末機は、図示の構成要素よりも多い構成要素で実現することもでき、それより少ない構成要素で実現することもできる。
【００２８】
以下、前記構成要素について順次説明する。
【００２９】
無線通信部１１０は、移動端末機１００と無線通信システム間の無線通信、又は移動端末機１００と移動端末機１００の位置するネットワーク間の無線通信を行う少なくとも１つの構成要素を含む。例えば、無線通信部１１０は、放送受信モジュール１１１、移動通信モジュール１１２、無線インターネットモジュール１１３、近距離通信モジュール１１４、及び位置情報モジュール１１５などを含む。
【００３０】
放送受信モジュール１１１は、放送チャネルを介して、外部の放送管理サーバから放送信号及び／若しくは放送関連情報を受信する。前記放送チャネルは、衛星チャネル及び地上波チャネルを含む。前記放送管理サーバは、放送信号及び／若しくは放送関連情報を生成して送信するサーバ、又は既に生成されて提供された放送信号及び／若しくは放送関連情報を送信するサーバを含む。前記放送関連情報は、放送チャネル、放送番組、又は放送サービスプロバイダに関する情報を含む。前記放送信号は、テレビ放送信号、ラジオ放送信号、データ放送信号を含むだけでなく、テレビ放送信号又はラジオ放送信号にデータ放送信号が結合した形態の放送信号をも含む。
【００３１】
一方、前記放送関連情報は、移動通信網を介して提供することもでき、この場合、移動通信モジュール１１２により受信できる。
【００３２】
前記放送関連情報は様々な形態で存在する。例えば、ＤＭＢ（Ｄｉｇｉｔａｌ  Ｍｕｌｔｉｍｅｄｉａ  Ｂｒｏａｄｃａｓｔｉｎｇ）のＥＰＧ（Ｅｌｅｃｔｒｏｎｉｃ  Ｐｒｏｇｒａｍ  Ｇｕｉｄｅ）、又はＤＶＢ−Ｈ（Ｄｉｇｉｔａｌ  Ｖｉｄｅｏ  Ｂｒｏａｄｃａｓｔ−Ｈａｎｄｈｅｌｄ）のＥＳＧ（Ｅｌｅｃｔｒｏｎｉｃ  Ｓｅｒｖｉｃｅ  Ｇｕｉｄｅ）などの形態で存在する。
【００３３】
放送受信モジュール１１１は、各種放送システムを利用して放送信号を受信するが、特に、ＤＭＢ−Ｔ（Ｄｉｇｉｔａｌ  Ｍｕｌｔｉｍｅｄｉａ  Ｂｒｏａｄｃａｓｔｉｎｇ−Ｔｅｒｒｅｓｔｒｉａｌ）、ＤＭＢ−Ｓ（Ｄｉｇｉｔａｌ  Ｍｕｌｔｉｍｅｄｉａ  Ｂｒｏａｄｃａｓｔｉｎｇ−Ｓａｔｅｌｌｉｔｅ）、ＭｅｄｉａＦＬＯ（Ｍｅｄｉａ  Ｆｏｒｗａｒｄ  Ｌｉｎｋ  Ｏｎｌｙ）、ＤＶＢ−Ｈ（Ｄｉｇｉｔａｌ  Ｖｉｄｅｏ  Ｂｒｏａｄｃａｓｔ−Ｈａｎｄｈｅｌｄ）、ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔ−Ｔｅｒｒｅｓｔｒｉａｌ）などのデジタル放送システムを利用してデジタル放送信号を受信することができる。もちろん、放送受信モジュール１１１は、前述したデジタル放送システムだけでなく、放送信号を提供する全ての放送システムに適合するように構成される。
【００３４】
放送受信モジュール１１１により受信した放送信号及び／若しくは放送関連情報はメモリ１６０に保存することができる。
【００３５】
また、移動通信モジュール１１２は、移動通信網上で基地局、外部の端末、サーバの少なくとも１つと無線信号を送受信する。ここで、前記無線信号は、音声呼信号、テレビ電話呼信号、又はＳＭＳ／ＭＭＳメッセージの送受信による様々な形態のデータを含む。
【００３６】
無線インターネットモジュール１１３は、無線インターネットの接続のためのモジュールであり、内蔵するか又は外付けすることができる。
【００３７】
近距離通信モジュール１１４は近距離通信のためのモジュールである。近距離通信技術としては、ブルートゥース、ＲＦＩＤ（Ｒａｄｉｏ  Ｆｒｅｑｕｅｎｃｙ  Ｉｄｅｎｔｉｆｉｃａｔｉｏｎ）、ＩｒＤＡ（Ｉｎｆｒａｒｅｄ  Ｄａｔａ  Ａｓｓｏｃｉａｔｉｏｎ）、ＵＷＢ（Ｕｌｔｒａ  Ｗｉｄｅｂａｎｄ）、ＺｉｇＢｅｅなどを用いることができる。
【００３８】
また、位置情報モジュール１１５は、移動端末機の位置を確認又は取得するためのモジュールである。一例として、ＧＰＳ（Ｇｌｏｂａｌ  Ｐｏｓｉｔｉｏｎ  Ｓｙｓｔｅｍ）モジュールがある。ＧＰＳモジュールは、複数の人工衛星から位置情報を受信する。ここで、位置情報は、緯度と経度で示される座標情報を含む。例えば、ＧＰＳモジュールは、３つ以上の衛星から正確な時間と距離を測定し、三角測量により現位置を正確に計算することができる。３つの衛星から距離と時間情報を取得し、１つの衛星により誤差を修正する方法を用いることができる。特に、ＧＰＳモジュールは、衛星から受信した位置情報に基づいて、緯度、経度、高度の位置だけでなく、３次元の速度情報と共に正確な時間まで取得することができる。
【００３９】
一方、Ａ／Ｖ入力部１２０は、オーディオ信号又はビデオ信号の入力のためのもので、カメラ１２１及びマイク１２２などを含む。カメラ１２１は、テレビ電話モード又は撮影モードでイメージセンサにより得られる静止画像又は動画像などの画像フレームを処理する。
【００４０】
カメラ１２１で処理された画像フレームは、ディスプレイ部１５１に表示することができる。また、カメラ１２１で処理された画像フレームは、メモリ１６０に保存したり、無線通信部１１０により外部に伝送することができる。カメラ１２１は、端末機の構成態様に応じて、２つ以上備えることもできる。
【００４１】
マイク１２２は、通話モード、録音モード、又は音声認識モードなどで、マイク１２２に入力された外部の音響信号を電気的な音声データに処理する。そして、処理された音声データは、通話モードの場合、移動通信モジュール１１２により移動通信基地局に送信可能な形態に変換して出力できる。マイク１２２は、外部の音響信号が入力される過程で発生するノイズを除去するための様々なノイズ除去アルゴリズムにより実現できる。
【００４２】
ユーザ入力部１３０は、端末機の動作制御のための入力データを発生する。ユーザ入力部１３０は、キーパッド、ドームスイッチ、タッチパッド（静圧／静電）、ジョグホイール、ジョグスイッチなどから構成できる。特に、タッチパッドが後述するディスプレイ部１５１とレイヤ構造をなす場合、これをタッチスクリーンという。
【００４３】
感知部１４０は、移動端末機１００の開閉状態、移動端末機１００の位置、移動端末機１００の方位又は加速／減速、ユーザの接触の有無などの移動端末機１００の現在の状態を感知し、移動端末機１００の動作を制御するための感知信号を発生する。例えば、移動端末機１００がスライドタイプの場合、移動端末機１００の開閉状態を感知できる。また、電源供給部１９０から電源が供給されたか否か、インタフェース部１７０に外部機器が結合されたか否かなどに関する感知機能を果たす。
【００４４】
インタフェース部１７０は、移動端末機１００に接続される全ての外部機器とのインタフェースの役割を果たす。例えば、有無線ヘッドセットポート、外部充電器ポート、有無線データポート、メモリカードポート、識別モジュールが備えられた装置を接続するポート、オーディオＩ／Ｏ（Ｉｎｐｕｔ／Ｏｕｔｐｕｔ）ポート、ビデオＩ／Ｏポート、イヤホンポートなどを含む。
【００４５】
ここで、識別モジュールは、移動端末機１００の使用権限を認証するための各種情報を保存したチップであり、ユーザ識別モジュール（Ｕｓｅｒ  Ｉｄｅｎｔｉｔｙ  Ｍｏｄｕｌｅ；ＵＩＭ）、加入者識別モジュール（Ｓｕｂｓｃｒｉｂｅｒ  Ｉｄｅｎｔｉｔｙ  Ｍｏｄｕｌｅ；ＳＩＭ）、汎用加入者識別モジュール（Ｕｎｉｖｅｒｓａｌ  Ｓｕｂｓｃｒｉｂｅｒ  Ｉｄｅｎｔｉｔｙ  Ｍｏｄｕｌｅ；ＵＳＩＭ）などを含む。また、識別モジュールが備えられた装置（以下、識別装置という）は、スマートカード形式で製作できる。従って、識別装置はポートを介して移動端末機１００に接続できる。このようなインタフェース部１７０は、外部機器からデータを受信するか、供給された電源を移動端末機１００内部の各構成要素に伝送するか、又は移動端末機１００内部のデータを外部機器に送信する。
【００４６】
出力部１５０は、オーディオ信号、ビデオ信号、又はアラーム信号を出力するためのもので、ディスプレイ部１５１、音響出力モジュール１５２、及びアラーム部１５３などを含む。
【００４７】
ディスプレイ部１５１は、移動端末機１００で処理される情報を表示出力する。例えば、移動端末機１００が通話モードの場合、通話に関するＵＩ（Ｕｓｅｒ  Ｉｎｔｅｒｆａｃｅ）若しくはＧＵＩ（Ｇｒａｐｈｉｃ  Ｕｓｅｒ  Ｉｎｔｅｒｆａｃｅ）を表示する。また、移動端末機１００がテレビ電話モード又は撮影モードの場合、撮影及び／若しくは受信した画像、又はＵＩ、ＧＵＩを表示する。
【００４８】
一方、前述したように、ディスプレイ部１３とタッチパッドがレイヤ構造をなしてタッチスクリーンとして構成された場合、ディスプレイ部１５１は、出力装置の他に入力装置として使用することもできる。ディスプレイ部１５１は、液晶表示装置、薄膜トランジスタ液晶表示装置、有機発光ダイオード、フレキシブルディスプレイ、３次元ディスプレイの少なくとも１つを含む。また、移動端末機１００の実現形態に応じて、ディスプレイ部１５１を２つ以上備えることもできる。例えば、移動端末機１００は、外部ディスプレイ部（図示せず）と内部ディスプレイ部（図示せず）とを共に備えることができる。
【００４９】
音響出力モジュール１５２は、呼受信モード、通話モード、録音モード、音声認識モード、又は放送受信モードなどで、無線通信部１１０から受信するか、又はメモリ１６０に保存されたオーディオデータを出力する。また、音響出力モジュール１５２は、移動端末機１００で実行される機能（例えば、呼信号受信音、メッセージ受信音など）に関連する音響信号を出力する。このような音響出力モジュール１５２は、スピーカ、ブザーなどを含む。
【００５０】
アラーム部１５３は、移動端末機１００のイベント発生を通知するための信号を出力する。移動端末機で発生するイベントの例としては、呼信号受信、メッセージ受信、キー信号入力などがある。アラーム部１５３は、オーディオ信号とビデオ信号以外に、他の形態でイベント発生を通知するための信号を出力することもできる。例えば、振動の形態で信号を出力することができる。アラーム部１５３は、呼信号を受信するか又はメッセージを受信した場合、これを通知するために振動を発生することができる。また、アラーム部１５３は、キー信号が入力された場合、キー信号の入力に対するフィードバックとして振動を発生することもできる。このような振動の発生により、ユーザはイベント発生を認知することができる。もちろん、イベント発生を通知するための信号は、ディスプレイ部１５１又は音響出力モジュール１５２により出力することもできる。
【００５１】
メモリ１６０は、制御部１８０の処理及び制御のためのプログラムを保存することもでき、入出力されるデータ（例えば、電話帳、メッセージ、静止画像、動画像など）の一時保存のための機能を実行することもできる。
【００５２】
メモリ１６０は、フラッシュメモリタイプ、ハードディスクタイプ、マルチメディアカードマイクロタイプ、カードタイプのメモリ（例えば、ＳＤ又はＸＤメモリなど）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリ、磁気ディスク、光ディスクの少なくとも１つのタイプの記憶媒体を含む。また、移動端末機１００は、インターネット上でメモリ１５０の保存機能を実行するウェブストレージを運営することもできる。
【００５３】
通常、制御部１８０は移動端末機の全般的な動作を制御する。例えば、音声通話、データ通信、テレビ電話などに関連する制御及び処理を行う。また、制御部１８０は、マルチメディアを再生するためのマルチメディアモジュール１８１を備えることもできる。マルチメディアモジュール１８１は、制御部１８０内に実現することもでき、制御部１８０とは別に実現することもできる。
【００５４】
電源供給部１９０は、制御部１８０の制御下で、供給された外部の電源、内部の電源を各構成要素に必要に応じて供給する。
【００５５】
ここに説明される多様な実施形態は、例えばソフトウェア、ハードウェア、又はこれらの組み合わせにより、コンピュータ可読記録媒体内で実現できる。
【００５６】
ハードウェア的な実現においては、ここに説明される実施形態は、ＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサ、制御部、マイクロコントローラ、マイクロプロセッサ、機能実行のための電気的なユニットの少なくとも１つを利用して実現できる。一部の場合、そのような実施形態は制御部１８０により実現できる。
【００５７】
ソフトウェア的な実現においては、手順や機能などの実施形態は、少なくとも１つの機能又は動作を行わせる別のソフトウェアモジュールと共に実現できる。ソフトウェアコードは、適切なプログラム言語で記述されたソフトウェアアプリケーションにより実現できる。また、ソフトウェアコードは、メモリ１６０に保存し、制御部１８０により実行することができる。
【００５８】
以上、本発明に係る移動端末機を機能的な構成要素の観点から説明した。以下、図２及び図３をさらに参照して、本発明に係る移動端末機を外形的な構成要素の観点から説明する。以下、説明の便宜上、折り畳みタイプ、ストレートタイプ、スイングタイプ、スライドタイプなどの様々なタイプの移動端末機のうち、スライドタイプの移動端末機を例に説明する。従って、本発明は、スライドタイプの移動端末機に限定されるものではなく、前述したタイプを含む全てのタイプの移動端末機に適用できる。
【００５９】
図２は本発明の一実施形態に係る移動端末機を前方から見た斜視図である。
【００６０】
本発明の一実施形態に係る移動端末機１００は、第１筐体２００と、第１筐体２００に少なくとも一方向に沿ってスライド可能に構成された第２筐体２０５とを含む。また、折り畳みタイプの場合、本発明の一実施形態に係る移動端末機は、第１筐体と、少なくとも一側が前記第１筐体に対して回動可能に構成された第２筐体とを含む。
【００６１】
第１筐体２００が第２筐体２０５と重なるように配置された状態を閉状態といい、同図に示すように第１筐体２００が第２筐体２０５の少なくとも一部分を露出させた状態を開状態という。移動端末機１００は、閉状態では主に待機モードで動作するが、ユーザの操作により待機モードが解除されることもある。また、移動端末機１００は、開状態では主に通話モードなどで動作するが、ユーザの操作又は所定時間の経過により待機モードに移行することもある。
【００６２】
第１筐体２００の外観を形成するケース（ケーシング、ハウジング、カバーなど）は、第１フロントケース２２０と第１リアケース２２５とから構成される。第１フロントケース２２０と第１リアケース２２５とにより形成された空間には、各種電子部品が内蔵される。第１フロントケース２２０と第１リアケース２２５との間には、少なくとも１つの中間ケースをさらに配置することもできる。
【００６３】
前記ケースは、合成樹脂を射出して形成するか、又は金属材質、例えばステンレススチール（ＳＴＳ）、又はチタン（Ｔｉ）などで形成することができる。
【００６４】
第１筐体２００、具体的に第１フロントケース２２０には、ディスプレイ部１５１、音響出力モジュール１５２、カメラ１２１、又は第１ユーザ入力部２１０などを配置できる。
【００６５】
ディスプレイ部１５１は、情報を視覚的に表示するＬＣＤ、ＯＬＥＤなどを含む。
【００６６】
また、ディスプレイ部１５１にタッチパッドをレイヤ構造で重ねて、ディスプレイ部１５１をタッチスクリーンとして動作させることにより、ユーザのタッチによる情報の入力を可能にすることもできる。
【００６７】
音響出力モジュール１５２はスピーカの形で実現できる。
【００６８】
カメラ１２１は、ユーザなどに対する静止画像又は動画像の撮影に適するように実現できる。
【００６９】
第１筐体２００と同様に、第２筐体２０５の外観を形成するケースは、第２フロントケース２３０と第２リアケース２３５とから構成される。
【００７０】
第２筐体２０５、具体的に第２フロントケース２３０の前面には、第２ユーザ入力部２１５を配置できる。第２フロントケース２３０又は第２リアケース２３５の少なくとも一方には、第３ユーザ入力部２４５、マイク１２２、インタフェース部１７０を配置できる。
【００７１】
第１〜第３ユーザ入力部２１０、２１５、２４５をユーザ入力部１３０といい、触知式（ｔａｃｔｉｌｅ  ｍａｎｎｅｒ）であればいかなる方式も採用できる。
【００７２】
例えば、ユーザ入力部１３０は、ユーザのプッシュ又はタッチ操作により命令又は情報が入力されるドームスイッチ若しくはタッチパッドで実現するか、又はキーを回転させるホイール若しくはジョグ方式やジョイスティックのように操作する方式などで実現することができる。
【００７３】
機能的な面では、第１ユーザ入力部２１０は、開始、終了、スクロールなどの命令を入力するためのものであり、第２ユーザ入力部２１５は、数字、文字、シンボルなどを入力するためのものである。
【００７４】
また、第３ユーザ入力部２４５は、移動端末機１００内の特殊な機能を実行させるためのホットキーとして動作できる。
【００７５】
マイク１２２は、ユーザの音声、その他の音などの入力に適した形で実現できる。
【００７６】
インタフェース部１７０は、移動端末機１００が外部機器とデータ交換などを行えるようにする通路となる。例えば、インタフェース部１７０は、有線又は無線でイヤホンを接続するための接続端子、近距離通信のためのポート（例えば、赤外線ポート（ＩｒＤＡ  ｐｏｒｔ）、ブルートゥースポート、無線ランポートなど）、又は移動端末機１００に電源を供給するための電源供給端子の少なくとも１つである。
【００７７】
インタフェース部１７０は、ＳＩＭ、ＵＩＭ、情報を保存するためのメモリカードなどの外付け型カードを収容するカードソケットでもよい。
【００７８】
第２リアケース２３５側には、移動端末機１００に電源を供給するための電源供給部１９０が装着される。
【００７９】
電源供給部１９０は、例えば充電可能なバッテリであって、充電などのために着脱可能に結合される。
【００８０】
図３は図２の移動端末機を後方から見た斜視図である。
【００８１】
図３に示すように、第２筐体２０５の第２リアケース２３５の背面には、カメラ１２１をさらに装着することができる。第２筐体２０５のカメラ１２１は、第１筐体２００のカメラ１２１とは撮影方向が実質的に反対であり、第１筐体２００のカメラ１２１とは画素が異なる。
【００８２】
例えば、第１筐体２００のカメラ１２１は、テレビ電話などの場合にユーザの顔を撮影して相手に伝送するのに負担にならない低画素であり、第２筐体のカメラ１２１は、一般的な被写体を撮影し、直ちに伝送しないことが多いため、高画素であることが好ましい。
【００８３】
第２筐体２０５のカメラ１２１に隣接してフラッシュ２５０とミラー２５５とをさらに配置することができる。フラッシュ２５０は、第２筐体２０５のカメラ１２１で被写体を撮影する場合、前記被写体に向けて光を照射する。ミラー２５５は、ユーザが第２筐体２０５のカメラ１２１でユーザ自身を撮影する場合（セルフ撮影）、自分の顔などを映せるようにする。
【００８４】
第２リアケース２３５には音響出力モジュール１５２をさらに配置することができる。
【００８５】
第２筐体２０５の音響出力モジュール１５２は、第１筐体２００の音響出力モジュール１５２と共にステレオ機能を実現することができ、スピーカホンモードで通話のために使用することもできる。
【００８６】
また、第２リアケース２３５の一側には、通話などのためのアンテナの他に、放送信号受信用アンテナ２６０を配置できる。アンテナ２６０は第２筐体２０５から引き出し可能に設置できる。
【００８７】
第１筐体２００の第１リアケース２２５側には、第１筐体２００と第２筐体２０５とをスライド可能に結合するスライドモジュール２６５の一部分が配置される。
【００８８】
スライドモジュール２６５の他の部分は、第２筐体２０５の第２フロントケース２３０側に配置され、同図のように外部に表れない形態でもよい。
【００８９】
以上、第２カメラ１２１などが第２筐体２０５に配置される場合を説明したが、これに限定されるものではない。
【００９０】
例えば、第２筐体２０５のカメラ１２１などのように、第２リアケース２３５に配置されると説明した構成（１２１、１５２、２５０、２６０）の少なくとも１つを、第１筐体２００、主に第１リアケース２２５に装着することもできる。この場合、前記閉状態で第１リアケース２２５に配置された構成が第２筐体２０５により保護されるという利点がある。さらに、第２筐体２０５のカメラ１２１を別に備えることなく、第１筐体２００のカメラ１２１を回転可能に形成することにより、第１筐体２００のカメラ１２１が第２筐体２０５のカメラ１２１の撮影方向まで撮影できるように構成することもできる。
【００９１】
図１〜図３に示す移動端末機１００は、フレーム又はパケットによりデータを伝送できる、有無線通信システムや衛星ベース通信システムなどの通信システムで動作可能に構成することができる。
【００９２】
以下、図４を参照して本発明の一実施形態に係る移動端末機が動作できる通信システムについて説明する。
【００９３】
通信システムは、異なる無線インタフェース及び／又は物理層を利用することもできる。例えば、通信システムにより利用可能な無線インタフェースは、周波数分割多元接続（Ｆｒｅｑｕｅｎｃｙ  Ｄｉｖｉｓｉｏｎ  Ｍｕｌｔｉｐｌｅ  Ａｃｃｅｓｓ；ＦＤＭＡ）、時分割多元接続（Ｔｉｍｅ  Ｄｉｖｉｓｉｏｎ  Ｍｕｌｔｉｐｌｅ  Ａｃｃｅｓｓ；ＴＤＭＡ）、符号分割多元接続（Ｃｏｄｅ  Ｄｉｖｉｓｉｏｎ  Ｍｕｌｔｉｐｌｅ  Ａｃｃｅｓｓ；ＣＤＭＡ）、汎用移動通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍｓ；ＵＭＴＳ）（特に、ＬＴＥ（Ｌｏｎｇ  Ｔｅｒｍ  Ｅｖｏｌｕｔｉｏｎ））、移動通信グローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ；ＧＳＭ）などを含む。以下、説明の便宜上、ＣＤＭＡに限定して説明するが、本発明は、ＣＤＭＡ無線通信システムを含む全ての通信システムに適用できることは明らかである。
【００９４】
図４に示すように、ＣＤＭＡ無線通信システムは、複数の移動端末機１００と、複数の基地局（Ｂａｓｅ  Ｓｔａｔｉｏｎ；ＢＳ）２７０と、複数の基地局制御部（Ｂａｓｅ  Ｓｔａｔｉｏｎ  Ｃｏｎｔｒｏｌｌｅｒ；ＢＳＣ）２７５と、移動スイッチングセンタ（Ｍｏｂｉｌｅ  Ｓｗｉｔｃｈｉｎｇ  Ｃｅｎｔｅｒ；ＭＳＣ）２８０とを含む。ＭＳＣ２８０は、公衆交換電話網（Ｐｕｂｌｉｃ  Ｓｗｉｔｃｈｅｄ  Ｔｅｌｅｐｈｏｎｅ  Ｎｅｔｗｏｒｋ；ＰＳＴＮ）２９０に接続するように構成され、ＢＳＣ２７５にも接続するように構成される。ＢＳＣ２７５は、バックホールライン（ｂａｃｋｈａｕｌ  ｌｉｎｅ）を介してＢＳ２７０に接続することができる。バックホールラインは、Ｅ１／Ｔ１、ＡＴＭ、ＩＰ、ＰＰＰ、フレームリレー、ＨＤＳＬ、ＡＤＳＬ、又はｘＤＳＬの少なくとも１つによって備えることができる。従って、複数のＢＳＣ２７５を図４に示すシステムに含めることができる。
【００９５】
それぞれのＢＳ２７０は、少なくとも１つのセクタを含み、それぞれのセクタは、全方向性アンテナ、又はＢＳ２７０から放射状の特定方向を指向するアンテナを含むことができる。また、それぞれのセクタは、様々な形態のアンテナを２つ以上含むこともできる。それぞれのＢＳ２７０は、複数の周波数割当をサポートするように構成され、各周波数割当は、特定スペクトル（例えば、１．２５ＭＨｚ、５ＭＨｚなど）を有する。
【００９６】
セクタと周波数割当の交差はＣＤＭＡチャネルともいう。ＢＳ２７０は基地局送受信サブシステム（Ｂａｓｅ  Ｓｔａｔｉｏｎ  Ｔｒａｎｓｃｅｉｖｅｒ  Ｓｕｂｓｙｓｔｅｍ；ＢＴＳ）ともいう。この場合、「基地局」とは、１つのＢＳＣ２７５と少なくとも１つのＢＳ２７０を合わせたものをいう。また、基地局は「セルサイト」を示すこともできる。又は、特定ＢＳ２７０における複数のセクタのそれぞれをセルサイトということもできる。
【００９７】
図４に示すように、放送送信部（Ｂｒｏａｄｃａｓｔｉｎｇ  Ｔｒａｎｓｍｉｔｔｅｒ；ＢＴ）２９５は、システム内で動作する移動端末機１００に放送信号を送信する。図１に示す放送受信モジュール１１１は、ＢＴ２９５により送信される放送信号を受信するために移動端末機１００内に備えられる。
【００９８】
さらに、図４においては複数のＧＰＳ衛星３００を示す。ＧＰＳ衛星３００は、複数の移動端末機１００の少なくとも１つの移動端末機の位置把握をサポートする。図４には２つの衛星を示しているが、位置情報は２つ以下又は２つ以上の衛星により取得することもできる。図１に示すＧＰＳモジュール１１５は、所望の位置情報を取得するためにＧＰＳ衛星３００と連動する。ここでは、ＧＰＳ追跡技術だけでなく、位置を追跡できる全ての技術を用いて位置を追跡できる。また、ＧＰＳ衛星３００の少なくとも１つは、選択又は追加して衛星ＤＭＢ伝送を担当できる。
【００９９】
無線通信システムが一般的に動作する過程で、ＢＳ２７０は多様な移動端末機１００から逆方向リンク信号を受信する。ここで、移動端末機１００は、呼接続中であるか、メッセージ送受信中であるか、又は他の通信動作を実行中である。特定ＢＳ２７０に受信された逆方向リンク信号のそれぞれは、特定ＢＳ２７０内で処理される。前記処理の結果生成されたデータは、接続されたＢＳＣ２７５に送信される。ＢＳＣ２７５は、基地局２７０間のソフトハンドオフの組織化などの呼資源割当機能及び移動性管理機能を提供する。また、ＢＳＣ２７５は前記受信したデータをＭＳＣ２８０に送信し、ＭＳＣ２８０はＰＳＴＮ２９０との接続のために追加的な伝送サービスを提供する。ＰＳＴＮ２９０はＭＳＣ２８０に接続し、ＭＳＣ２８０はＢＳＣ２７５に接続し、ＢＳＣ２７５は移動端末機１００に順方向リンク信号を伝送するようにＢＳ２７０を制御する。
【０１００】
以下、移動端末機内に分散された様々なイベントをイベントの種類に応じてタイムグラフィック上に表示することにより、様々なイベントを容易に確認及び管理することのできる、移動端末機のイベント表示方法及びその装置の好ましい実施形態について図５〜図１４を参照して詳細に説明する。
【０１０１】
図５は本発明の一実施形態による移動端末機のイベント表示装置の構成を示すブロック図である。本発明の一実施形態による移動端末機のイベント表示装置は、携帯電話、携帯情報端末（ＰＤＡ）、ＰＭＰ（Ｐｏｒｔａｂｌｅ  Ｍｕｌｔｉｍｅｄｉａ  Ｐｌａｙｅｒ）、ＭＰ３プレーヤなどの移動端末機に適用される。
【０１０２】
図５に示すように、本発明の一実施形態による移動端末機のイベント表示装置は、移動端末機で発生した様々なイベントを検出する感知部１４０と、前記移動端末機のディスプレイ部１５１に予め保存されたタイムグラフィックを表示し、前記検出されたイベントをイベントの種類に応じて前記タイムグラフィック上に位置させる制御部１８０とから構成される。ここで、イベントとは、移動端末機で発生する様々なイベントであって、電話発信／着信、不在着信、メッセージ発信／着信、スケジュール／アラーム／モーニングコールなどを通知する動作を意味する。前記タイムグラフィックは複数のタイムラインを含む。前記複数のタイムラインは時間を示し、前記複数のタイムラインの大きさ、形状、幅は多様に変形できる。
【０１０３】
制御部１８０は、前記検出されたイベントの時間情報に基づいて、前記検出されたイベントを前記タイムグラフィックのタイムライン上に表示する。例えば、制御部１８０は、検出されたイベントが午後０５時００分に発生したイベントである場合、その検出されたイベントをタイムグラフィックのタイムラインの午後０５時００分の位置に表示する。前記タイムラインとしては、ユーザの選択に応じて、２４時間制を示すタイムライン又は１２時間制を示すタイムラインを設定できる。
【０１０４】
制御部１８０は、円形のタイムライン、チャート形のタイムライン、又は渦巻き形のタイムラインなどをディスプレイ部１５１に表示する。
【０１０５】
制御部１８０は、感知部１４０により検出されたイベントを、前記円形のタイムライン、前記チャート形のタイムライン、又は前記渦巻き形のタイムラインなどに表示する。例えば、制御部１８０は、各イベントをアイコンで表示し、その表示された各アイコンをタイムライン上に位置させる。従って、前記タイムライン上に位置するイベント（アイコン）は一連の時間順序を有する。ここで、制御部１８０は、各アイコンをタイムライン上に表示するか、又はタイムラインに隣接する位置に表示することができる。
【０１０６】
以下、本発明の一実施形態による移動端末機のイベント表示装置の動作について図６を参照して説明する。
【０１０７】
図６は本発明の一実施形態による移動端末機のイベント表示方法を示すフローチャートである。
【０１０８】
まず、感知部１４０は、前記移動端末機のモードがユーザによりイベント表示モードに移行すると（Ｓ１１）、移動端末機で発生した様々なイベントを検出し、その検出されたイベントを制御部１８０に出力する（Ｓ１２）。例えば、感知部１４０は、移動端末機で発生した電話発信／着信イベント、不在着信イベント、メッセージ発信／着信イベント、スケジュール／アラーム／モーニングコール／タスク／Ｄ−デイなどのイベント、予約メッセージイベントを検出し、その検出されたイベントを制御部１８０に出力する。
【０１０９】
制御部１８０は、ユーザにより、円形のタイムライン、チャート形のタイムライン、及び渦巻き形のタイムラインからいずれか１つのタイムラインが選択されると（Ｓ１３）、その選択されたタイムラインをディスプレイ部１５１上に表示し、その表示されたタイムライン上に前記検出されたイベントをイベントの種類に応じて表示する（Ｓ１４）。
【０１１０】
例えば、制御部１８０は、ユーザにより円形のタイムラインが選択されると、前記選択された円形のタイムラインをディスプレイ部１５１上に表示し、ディスプレイ部１５１上に表示された円形のタイムライン上に前記検出されたイベントに対応するアイコンを位置させる。また、制御部１８０は、ユーザによりチャート形のタイムラインが選択されると、前記選択されたチャート形のタイムラインをディスプレイ部１５１上に表示し、ディスプレイ部１５１上に表示されたチャート形のタイムライン上に前記検出されたイベントに対応するアイコンを位置させる。さらに、制御部１８０は、ユーザにより渦巻き形のタイムラインが選択されると、前記選択された渦巻き形のタイムラインをディスプレイ部１５１上に表示し、ディスプレイ部１５１上に表示された渦巻き形のタイムライン上に前記検出されたイベントに対応するアイコンを位置させる。
【０１１１】
制御部１８０は、ユーザによりタイムライン上に位置する特定アイコンが選択されると、その選択された特定アイコンにリンクされたプログラムを実行する。前記アイコンにリンクされたプログラムを実行する過程は公知の技術であるので、これに関する詳細な説明は省略する。
【０１１２】
一方、制御部１８０は、ユーザにより前記タイムグラフィック上に表示された特定イベントが選択されたとき、前記ユーザの要求に応じて、前記選択された特定イベントを実行／変更し、前記選択された特定イベントの詳細情報及び／又は要約情報をディスプレイ部１５１に表示する。
【０１１３】
以下、本発明の一実施形態による移動端末機のイベント表示装置により、様々なイベントをイベントの種類に応じて円形のタイムライン上に表示する方法について図７を参照して説明する。
【０１１４】
図７は本発明の一実施形態による移動端末機のイベント表示装置により、様々なイベントをイベントの種類に応じて円形のタイムライン上に表示する方法を示す図である。
【０１１５】
図７に示すように、制御部１８０は、ユーザにより選択された円形のタイムライン１０１〜１０３（タイムグラフィック）をディスプレイ部１５１に表示する。また、制御部１８０は、感知部１４０から出力された電話発信／着信イベントを通知するアイコン、不在着信イベントを通知するアイコン、メッセージ発信／着信イベントを通知するアイコン、スケジュール／アラーム／モーニングコール／タスク／Ｄ−デイなどのイベントを通知するアイコン、予約メッセージイベントを通知するアイコンを、イベントの種類に応じて前記円形のタイムライン上に表示する。
【０１１６】
前記タイムグラフィックは、実際の時間を示す円形の複数のタイムライン１０１〜１０３から構成される。ここで、制御部１８０は、第１タイムライン１０１上に電話着信イベントを通知するアイコンを位置させ、第２タイムライン１０２上にスケジュールイベントを通知するアイコンを位置させ、第３タイムライン１０３上にメッセージ着信イベントを通知するアイコンを位置させることができる。ここで、第１、第２、第３タイムライン１０１〜１０３は、異なる大きさ、異なる幅に設定することもできる。また、制御部１８０は、ユーザにより選択されたイベントをユーザにより選択されたタイムライン上に位置させることもできる。
【０１１７】
制御部１８０はタイムライン上に現在の時間１０４を表示する。ここで、現在の時間は、複数のタイムラインのうち少なくとも１つに表示することができる。また、制御部１８０は、時間が経過するにつれて、ディスプレイ部１５１に表示されたイベント（アイコン）の大きさをそれぞれ変更することもできる。例えば、制御部１８０は、タイムライン上に位置するスケジュールイベントの予約時間が近づくと、そのスケジュールイベントのアイコンを大きくしたり小さくすることができる。
【０１１８】
制御部１８０は、ユーザが特定アイコン、例えばスケジュールアイコンにカーソルを位置させると、ポップアップウィンドウにより前記スケジュールアイコンに関する要約情報をディスプレイ部１５１に表示し、ユーザが前記スケジュールアイコンをクリックすると、前記スケジュールアイコンに関する詳細情報をディスプレイ部１５１に表示する。
【０１１９】
制御部１８０は、ユーザによりキーパッド（図示せず）に設けられた上下方向キー（図示せず）が選択されると、カーソルを例えば第１タイムライン１０１から第２タイムライン１０２に移動させる。従って、ユーザは上下方向キーを利用して所望の円形のタイムラインを選択できる。
【０１２０】
制御部１８０は、ユーザにより前記キーパッドに設けられた左右方向キー（図示せず）が選択されると、カーソルを円形のタイムラインに沿って移動させる。従って、ユーザは左右方向キーを利用して所望の円形のタイムライン上に位置するアイコンを選択することにより、特定イベントを容易に確認及び管理できる。ここで、制御部１８０は、タッチスクリーンでユーザにより要求されたアイコンを選択するか、又はタッチスクリーンでユーザにより要求されたタイムラインを表示することもできる。
【０１２１】
一方、制御部１８０は、タイムグラフィックのタイムラインをイベントの種類（例えば、電話着信、スケジュール、メッセージなど）に応じて分類し、その分類されたタイムラインにユーザにより要求されたイベントを設定できる。例えば、制御部１８０は、ユーザの要求に応じて、第１タイムライン１０１を電話着信用タイムラインに設定し、第２タイムライン１０２をスケジュール管理用タイムラインに設定し、第３タイムライン１０３をメッセージ管理用タイムラインに設定する。
【０１２２】
その後、制御部１８０は、ユーザにより電話着信用第１タイムライン１０１が選択されると、電話着信用第１タイムライン１０１に電話着信情報に対応するアイコンを表示する。ここで、制御部１８０は、ユーザにより要求された日付に対応する電話着信情報が選択されると、その選択された電話着信情報に対応するアイコンを電話着信用第１タイムライン１０１に表示する。
【０１２３】
制御部１８０は、ユーザによりスケジュール管理用第２タイムライン１０２が選択されると、スケジュール管理用第２タイムライン１０２にスケジュール情報に対応するアイコンを表示する。ここで、制御部１８０は、ユーザにより要求された日付に対応するスケジュール情報が選択されると、その選択されたスケジュール情報に対応するアイコンをスケジュール管理用第２タイムライン１０２に表示する。
【０１２４】
制御部１８０は、ユーザによりメッセージ管理用第３タイムライン１０３が選択されると、メッセージ管理用第３タイムライン１０３にメッセージ情報に対応するアイコンを表示する。ここで、制御部１８０は、ユーザにより要求された日付に対応するメッセージ情報が選択されると、その選択されたメッセージ情報に対応するアイコンをメッセージ管理用第３タイムライン１０３に表示する。
【０１２５】
制御部１８０は、ユーザにより特定電話番号（例えば、最も多く通話する電話番号）が選択されると、その選択された電話番号に対応するアイコンをタイムライン上に表示することもできる。例えば、制御部１８０は、ユーザの要求に応じて第１タイムライン１０１を電話番号用タイムラインに設定し、ユーザにより特定電話番号が選択されると、その選択された電話番号の着信時間情報に基づいて、前記選択された電話番号に対応するアイコンを第１タイムライン１０１に表示する。従って、ユーザにより選択された特定電話番号が一日に平均数十回着信する電話番号である場合、その電話番号から着信した時間を電話番号用タイムライン１０１により容易に確認及び管理できる。また、制御部１８０は、ユーザにより特定人名が選択されたとき、その選択された人名で着信したメッセージ又は電話番号に対応するアイコンを特定タイムライン上に表示することもできる。
【０１２６】
制御部１８０は、多く通話した順にアイコンをタイムライン上に表示することもできる。例えば、制御部１８０は、ユーザにより選択された日に着信した同一電話番号の発信回数又は着信回数をカウントし、そのカウントされた回数に基づいて、多く発信若しくは着信した電話番号に対応する人名順に、タイムグラフィックの外側若しくは内側に位置するタイムラインから順次表示するか、又は少なく発信若しくは着信した電話番号に対応する人名順に、タイムグラフィックの内側若しくは外側に位置するタイムラインから順次表示する。ここで、制御部１８０は、タイムライン上に表示された人名が選択されると、その人名に対応する電話回数、メッセージ回数をタイムグラフィックの下部に表示する。制御部１８０は、最も多く発信若しくは着信した電話番号に対応するアイコンを王冠などの象徴的な記号アイコンにすることもでき、最も多く発信若しくは着信した電話番号に対応する人名をＶＩＰとして登録することもできる。
【０１２７】
制御部１８０はタイムラインに人名を設定することもできる。例えば、制御部１８０は、ユーザの要求に応じて、第１タイムライン１０１に第１人名を設定し、第２タイムライン１０２に第２人名を設定し、第３タイムライン１０３に第３人名を設定する。ここで、制御部１８０は、第１タイムライン１０１が選択されると、第１人名で発信又は着信した電話番号及びメッセージに対応するアイコンを、第１タイムライン上に電話番号の発信時間又は着信時間に応じて表示し、第１人名に対応する電話回数、メッセージ回数をタイムグラフィックの下部に表示する。前記人名に対応するアイコンの色／形状はユーザの要求に応じて変更できる。ここで、制御部１８０は、前記人名に対応するアイコン上にその人の写真を表示することもできる。
【０１２８】
制御部１８０は、特定人のライフスタイルに応じて、タイムグラフィックの一部の幅を狭くしたり広くすることができる。すなわち、制御部１８０は、イベントが特定時間帯に発生したとき、前記タイムグラフィックの前記特定時間帯の幅を広く表示し、前記特定時間帯以外の時間帯の幅を狭く表示する。例えば、制御部１８０は、主に昼間に発生した特定人イベントをタイムグラフィック上に表示するとき、夜の時間帯に該当するタイムグラフィックの時間幅を狭く表示し、昼の時間帯に該当するタイムグラフィックの時間幅を広く表示することにより、主に昼間に発生した特定人イベントに対応するアイコンを全て前記タイムグラフィック上に表示できる。すなわち、制御部１８０は、夜１２時から朝６時まで活動せず、主に昼間に活動する人のイベントをタイムグラフィック上に表示するとき、睡眠時間に該当するタイムラインの幅を狭く表示し、活動時間に該当するタイムラインの幅を広く表示する。従って、ユーザは一日に発生したイベントと自身の活動時間を毎日容易に確認できる。
【０１２９】
以下、ユーザにより前記タイムグラフィック上に表示された特定イベントが選択されたとき、前記ユーザの要求に応じて前記選択された特定イベントの情報を表示する方法について、図５、図８、及び図９を参照して説明する。
【０１３０】
図８は本発明の一実施形態による移動端末機のディスプレイ部に表示されたタイムグラフィック及びイベントの情報を示す図であり、図９は本発明の一実施形態による移動端末機のイベント表示装置により、円形のタイムライン上に様々なイベントの情報を表示する方法を示すフローチャートである。
【０１３１】
まず、制御部１８０は、ユーザによりタイムグラフィック上に表示されたイベント４０が選択されたか否かを判断する（Ｓ２１）。
【０１３２】
制御部１８０は、ユーザにより前記タイムグラフィック上に表示されたイベント４０が選択されると、前記イベントを含むタイムグラフィックを縮小し（Ｓ２２）、前記縮小されたタイムグラフィック４１と前記選択されたイベントの情報４２、４３を共にディスプレイ部１５１に表示する（Ｓ２３）。ここで、制御部１８０は、前記選択されたイベントがメッセージイベントである場合、そのメッセージイベントに含まれる電話番号４２及びショートメッセージ４３を前記縮小されたタイムグラフィック４１の下部に表示する。
【０１３３】
前記縮小されたタイムグラフィック４１はディスプレイ部１５１の様々な位置に表示することができ、前記ユーザにより選択されたイベントの情報４２、４３もディスプレイ部１５１の様々な位置に表示することができる。従って、ユーザはディスプレイ部１５１の画面上に表示されたイベントを含むタイムグラフィック及びイベントの詳細情報又は要約情報を共に確認することができる。
【０１３４】
その後、制御部１８０は、前記縮小されたタイムグラフィック４１上に表示されたイベントのうち、ユーザにより追加で選択されたイベントがあるか否かを判断する（Ｓ２４）。
【０１３５】
制御部１８０は、前記縮小されたタイムグラフィック４１上に表示されたイベントのうち特定イベントがユーザにより追加で選択されると、その選択されたイベントの情報を前記縮小されたタイムグラフィック４１の下部に表示する（Ｓ２５）。ここで、前記縮小されたタイムグラフィック４１を再び縮小する必要がないので、ユーザにより選択されたイベントに関する詳細情報又は要約情報を容易かつ迅速にディスプレイ部１５１に表示できる。
【０１３６】
以下、前記タイムグラフィックと放送番組情報（例えば、電子番組ガイド（ＥＰＧ；  Ｅｌｅｃｔｒｏｎｉｃ  Ｐｒｏｇｒａｍ  Ｇｕｉｄｅ））をリンクすることにより、ユーザの要求に応じて前記放送番組情報をディスプレイ部１５１に容易に表示できる方法について、図５及び図１０Ａ〜図１１を参照して説明する。
【０１３７】
図１０Ａ及び図１０Ｂは本発明の一実施形態による移動端末機のディスプレイ部に表示されたタイムグラフィック及び放送番組情報を示す図であり、図１１は本発明の一実施形態による移動端末機のイベント表示装置により、円形のタイムラインにリンクされた放送番組情報を表示する方法を示すフローチャートである。
【０１３８】
まず、制御部１８０は、ユーザにより特定時間帯のタイムラインが選択されたか否かを判断する（Ｓ３１）。ここで、前記放送番組情報は、その放送番組情報に含まれる放送番組時間情報に基づいて前記タイムラインに予めリンクされる。
【０１３９】
制御部１８０は、ユーザにより特定時間帯のタイムラインが選択されると、その選択された時間帯に対応する放送番組情報を保存部から読み出し（Ｓ３２）、その読み出した放送番組情報をディスプレイ部１５１に表示する（Ｓ３３）。ここで、ユーザはタッチスクリーン又は特定キー（例えば、ショートカットキー（ホットキー））により特定時間帯のタイムラインを選択できる。
【０１４０】
前記放送番組情報は移動端末機の保存部（図示せず）に予め保存され、前記放送番組は地上波ＤＭＢ放送番組又は衛星ＤＭＢ放送番組でもよい。例えば、制御部１８０は、ユーザにより特定時間帯のタイムラインが選択されると、前記タイムグラフィックを縮小し、前記縮小されたタイムグラフィックの下部に前記放送番組情報を表示できる。ここで、前記放送番組情報は、放送番組タイトル、放送番組開始及び終了時間、放送チャネル情報を含む。
【０１４１】
その後、制御部１８０は、ユーザにより前記特定時間帯のタイムラインが選択されたとき、ユーザが前記選択された時間帯に対応する放送番組の予約を要求したか否かを判断する（Ｓ３４）。
【０１４２】
制御部１８０は、ユーザが前記選択された時間帯に対応する放送番組の予約を要求した場合、前記要求された放送番組を予約し、前記放送番組が予約されたことを示すアイコンを前記時間帯に対応するタイムライン上に表示する（Ｓ３５）。ここで、制御部１８０は、前記放送番組が予約されたことを示すアイコンを、ユーザの要求に応じて多様な形状に変更するか又は削除することができる。
【０１４３】
制御部１８０は、前記予約された放送番組の放送開始時間になったか否かを判断し（Ｓ３６）、前記予約された放送番組の放送開始時間になると警告音（アラーム）を鳴らすことにより、ユーザに前記放送番組の開始時間を通知する（Ｓ３７）。
【０１４４】
以下、前記タイムグラフィック上に位置するアイコンを編集することにより、ユーザが容易にイベントを編集（変更、削除、生成、移動）する方法について、図５及び図１２〜図１４を参照して説明する。
【０１４５】
図１２は本発明の一実施形態による移動端末機のイベント表示装置により、タイムグラフィック上に位置するアイコンを変更する方法を示すフローチャートである。
【０１４６】
まず、制御部１８０は、ユーザによりアイコン編集モードが選択されたか否かを判断する（Ｓ４１）。ここで、制御部１８０は、タッチスクリーンで特定アイコンがユーザにより予め設定された時間（例えば、２秒）クリックされたとき、前記アイコン編集モードに移行させることもできる。制御部１８０は、前記タッチスクリーンだけでなく、ショートカットキー又は特定メニューでユーザによりアイコン編集モードが選択されたか否かを判断することもできる。
【０１４７】
制御部１８０は、アイコン編集モードが選択されたとき、タイムグラフィック上に表示されたアイコンをユーザの要求に応じて新しいアイコンに変える。例えば、制御部１８０は、タイムグラフィック上に表示された特定アイコンが選択されると、保存部に予め保存された多様なアイコンをディスプレイ部１５１に表示し（Ｓ４２）、前記表示されたアイコンのうちユーザにより特定アイコンが選択されると（Ｓ４３）、表示されていたアイコンを削除し、前記選択された特定アイコンを前記タイムグラフィック上に表示する（Ｓ４４）。
【０１４８】
また、制御部１８０は、前記タイムグラフィック上に表示された特定アイコンが選択された後、ユーザにより削除キーが選択されると、前記選択された特定アイコンを削除する。ここで、制御部１８０は、タッチスクリーンで前記特定アイコンが前記タイムグラフィックの外にドラッグされたとき、前記ドラッグされた特定アイコンを削除することもできる。制御部１８０は、タッチスクリーンでユーザにより前記タイムグラフィック上に表示された１つ又は複数のアイコンが選択された後、前記タイムグラフィックの外にドラッグされたとき、前記１つ又は複数のアイコンを削除することもできる。
【０１４９】
図１３は本発明の一実施形態による移動端末機のイベント表示装置により、タイムグラフィック上に位置するアイコンを生成する方法を示すフローチャートである。
【０１５０】
まず、制御部１８０は、タイムグラフィック上に表示されたアイコンのうち、ユーザにより特定アイコンが選択されたか否かを判断する（Ｓ５１）。
【０１５１】
制御部１８０は、前記選択された特定アイコン（例えば、スケジュール／モーニングコールアイコン）がコピーされたか否かを判断する（Ｓ５２）。
【０１５２】
制御部１８０は、ユーザにより、前記特定アイコンがコピーされた後、そのコピーされたアイコンが特定時間帯に該当するタイムライン上に位置するとき（追加されたとき）、前記コピーされたアイコンに前記特定時間帯を設定し（Ｓ５３）、その特定時間帯になると前記コピーされたアイコンに対応するイベントを発生する（Ｓ５４）。例えば、制御部１８０は、ユーザにより、タイムグラフィック上に表示されたスケジュールアイコン（例えば、午後０４時００分に対応するスケジュールアイコン）がコピーされた後、そのコピーされたスケジュールアイコンが午後０５時００分に該当するタイムライン上に位置する場合、午後０５時００分になると、前記スケジュールアイコンに対応するイベントを発生する。すなわち、制御部１８０は、午後０４時００分にスケジュールアイコンに対応するイベントを発生した後、午後０５時００分になると、前記スケジュールアイコンに対応するイベントを再び発生する。
【０１５３】
図１４は本発明の一実施形態による移動端末機のイベント表示装置により、タイムグラフィック上に位置するアイコンを移動させる方法を示すフローチャートである。
【０１５４】
まず、制御部１８０は、タイムグラフィック上に表示されたアイコンのうち、ユーザにより特定アイコンが選択されたか否かを判断する（Ｓ６１）。
【０１５５】
制御部１８０は、タイムグラフィック上に表示された特定アイコン（例えば、スケジュール／アラームアイコン）が、ユーザによりドラッグされて特定時間帯に該当するタイムライン上に移動したか否かを判断する（Ｓ６２）。
【０１５６】
制御部１８０は、前記特定アイコンがユーザによりドラッグされて特定時間帯に該当するタイムライン上に移動した場合、その特定時間帯になると、前記ドラッグされたアイコンに対応するイベントを発生する（Ｓ６３）。例えば、制御部１８０は、タイムグラフィック上に表示されたモーニングコールアイコン（例えば、午前０４時００分にモーニングコールを予約）が、ユーザによりドラッグされて午前０５時００分に該当するタイムライン上に移動した場合、午前０５時００分になると、前記モーニングコールアイコンに対応するイベントを発生する。すなわち、制御部１８０は、午前０４時００分にモーニングコールを実行せず、午前０５時００分になるとモーニングコールを実行する。
【０１５７】
本発明の属する技術の分野における通常の知識を有する者であれば、本発明の本質的な特性から外れない範囲で多様な変更及び変形が可能であろう。従って、本発明に開示された実施形態は、本発明の技術思想を限定するものではなく、説明のためのもので、このような実施形態により本発明の技術思想の範囲が限定されるものではない。本発明の保護範囲は添付の特許請求の範囲により解釈されるべきであり、それと同等な範囲内にある全ての技術思想は本発明の権利範囲に含まれるものと解釈されるべきである。
【０１５８】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【０１５９】
【図１】本発明の一実施形態に係る移動端末機の構成を示すブロック図である。
【図２】本発明の一実施形態に係る移動端末機を前方から見た斜視図である。
【図３】本発明の一実施形態に係る移動端末機を後方から見た斜視図である。
【図４】本発明の一実施形態に係る移動端末機が動作できる無線通信システムを示すブロック図である。
【図５】本発明の一実施形態による移動端末機のイベント表示装置の構成を示すブロック図である。
【図６】本発明の一実施形態による移動端末機のイベント表示方法を示すフローチャートである。
【図７】本発明の一実施形態による移動端末機のイベント表示装置により、様々なイベントをイベントの種類に応じて円形のタイムライン上に表示する方法を示す図である。
【図８】本発明の一実施形態による移動端末機のディスプレイ部に表示されたタイムグラフィック及びイベントの情報を示す図である。
【図９】本発明の一実施形態による移動端末機のイベント表示装置により、円形のタイムライン上に様々なイベントの情報を表示する方法を示すフローチャートである。
【図１０Ａ】本発明の一実施形態による移動端末機のディスプレイ部に表示されたタイムグラフィックを示す図である。
【図１０Ｂ】本発明の一実施形態による移動端末機のディスプレイ部に表示された放送番組情報を示す図である。
【図１１】本発明の一実施形態による移動端末機のイベント表示装置により、円形のタイムラインにリンクされた放送番組情報を表示する方法を示すフローチャートである。
【図１２】本発明の一実施形態による移動端末機のイベント表示装置により、タイムグラフィック上に位置するアイコンを変更する方法を示すフローチャートである。
【図１３】本発明の一実施形態による移動端末機のイベント表示装置により、タイムグラフィック上に位置するアイコンを生成する方法を示すフローチャートである。
【図１４】本発明の一実施形態による移動端末機のイベント表示装置により、タイムグラフィック上に位置するアイコンを移動させる方法を示すフローチャートである。
【符号の説明】
【０１６０】
１４０  感知部
１５１  ディスプレイ部
１８０  制御部
【図１】
2008211794.tif 000003
【図２】
2008211794.tif 000004
【図３】
2008211794.tif 000005
【図４】
2008211794.tif 000006
【図５】
2008211794.tif 000007
【図６】
2008211794.tif 000008
【図７】
2008211794.tif 000009
【図８】
2008211794.tif 000010
【図９】
2008211794.tif 000011
【図１０Ａ】
2008211794.tif 000012
【図１０Ｂ】
2008211794.tif 000013
【図１１】
2008211794.tif 000014
【図１２】
2008211794.tif 000015
【図１３】
2008211794.tif 000016
【図１４】
2008211794.tif 000017